(57)【要約】【課題】スピーカーホルダーとリアキャビネットをネジでフロントキャビネットのホルダー支持部に共締め固定するまでスピーカーホルダーが倒れ込まないように仮固定でき、部品点数や作業工数の増加によるコストアップを招くこともない、スピーカーホルダーの仮固定構造を提供する。【解決手段】スピーカーホルダー２の左右両端のフランジ部２ａに形成した位置決め孔２ｄに、フロントキャビネット３のホルダー支持部４から突設した位置決めピン４ｂを挿通すると共に、スピーカーホルダー２に一体形成したフック部７を、フロントキャビネット３の下部に一体形成した被掛止部８に対して位置決めピン４ｂの挿通方向に掛止させた仮固定構造とする。フック部７を被掛止部８に掛止させることで、位置決め孔２ｄが位置決めピン４ｂから外れないようにしてスピーカーホルダー２の倒れ込みを防止する。【選択図】図２
2011019171.tif 000002
【特許請求の範囲】
【請求項１】
スピーカーを保持したスピーカーホルダーを、フロントキャビネットの下部に形成したホルダー支持部に載置し、スピーカーホルダーの左右両端のフランジ部とリアキャビネットの下部をネジでホルダー支持部に共締め固定するまで、ホルダー支持部に載置したスピーカーホルダーを仮固定する構造であって、
上記スピーカーホルダーの左右両端のフランジ部に形成した位置決め孔に、上記フロントキャビネットのホルダー支持部から突設した位置決めピンを挿通すると共に、上記スピーカーホルダーに一体形成したフック部を、上記フロントキャビネットの下部に一体形成した被掛止部に対して上記位置決めピンの挿通方向に掛止させたことを特徴とするスピーカーホルダーの仮固定構造。
【請求項２】
前記フック部が、前記スピーカーホルダーの中間部から垂下する弾性変形可能な垂下片と、この垂下片の先端部から裏側へ突き出す掛止爪とを備えたものであり、前記被掛止部は、上記掛止爪が前記位置決めピンの挿通方向に掛止する被掛止面と、この被掛止面に上記掛止爪を案内する傾斜案内面とを備えたものであることを特徴とする、請求項１に記載のスピーカーホルダーの仮固定構造。
【請求項３】
前記位置決めピンの高さが、前記位置決め孔を形成した前記スピーカーホルダーの左右両端のフランジ部の厚さの２〜４倍であることを特徴とする、請求項１に記載のスピーカーホルダーの仮固定構造。
【発明の詳細な説明】
【技術分野】
【０００１】
本発明はスピーカーホルダーの仮固定構造に関し、更に詳しくは、液晶テレビのフロントキャビネットのホルダー支持部に載置したスピーカーホルダーを、ネジでリアキャビネットと共締め固定するまで、ホルダー支持部から脱落しないように安定良く仮固定できるように改良した、スピーカーホルダーの仮固定構造に関する。
【背景技術】
【０００２】
近年の液晶テレビは、フロント面にスピーカーが見えない、所謂、スピーカーレスデザインのものが主流となってきている。このようなスピーカーレスデザインの液晶テレビの組み立てる際には、通常、図４に示すように、スピーカー１を保持させたスピーカーホルダー２を、フロントキャビネット３の下部に形成されたホルダー支持部４に載置し、ホルダー支持部４から突き出した位置決めピン４ｂを、スピーカーホルダー２の両端のフランジ部２ａに形成された位置決め孔２ｄに挿通することによって、最終的にスピーカーホルダー２のフランジ部２ａとリアキャビネット５の下部の共締め部５ａをネジ６でホルダー支持部４に共締め固定するまで、スピーカーホルダー２をホルダー支持部４に仮固定している。
【０００３】
また、スピーカーを保持させたスピーカーホルダーをキャビネットから浮かせた状態にして、その取付部をキャビネット側の突出部にネジ止めしたスピーカーの取付構造（特許文献１）や、スピーカーホルダーに相当する取付体にスピーカーを保持させて、取付体をキャビネットにネジ止めした表示装置（特許文献２）なども知られている。
【先行技術文献】
【特許文献】
【０００４】
【特許文献１】実用新案登録第３０６３２９７号公報
【特許文献２】特開２００８−５４５９号公報
【発明の概要】
【発明が解決しようとする課題】
【０００５】
しかしながら、図４に示すように、ホルダー支持部４に載置したスピーカーホルダー２の位置決め孔２ｄに、ホルダー支持部４から突き出す位置決めピン４ｂを挿通しただけの仮固定構造では、スピーカー１の磁力と、フロントキャビネット３に取付けられた液晶モジュール９の磁力によって、スピーカー１が液晶モジュール９の方に引かれるため、スピーカーホルダー２に多少の外力が作用すると、スピーカーホルダー２の位置決め孔２ｄが位置決めピン４ｂから外れて、スピーカーホルダー２が矢印で示すように液晶モジュール９の方へ倒れ込むことがあり、これが組立作業性の低下を招く一因となっていた。
【０００６】
上記の問題は、特許文献１，２のように、リアキャビネットをネジ止めする前にスピーカーホルダーや取付体をフロントキャビネットにネジ止めする場合には生じないが、特許文献１，２の場合は、図４のようにリアキャビネットとスピーカーホルダーをネジでフロントキャビネットのホルダー支持部に共締め固定する場合に比べて、スピーカーホルダーや取付体を個別にネジ止めするためのネジとネジ止め作業が余分に必要となるため、部品点数と組立工数の増加によりコストアップを招くという問題があった。
【０００７】
本発明は上記事情の下になされたもので、その解決しようとする課題は、スピーカーホルダーとリアキャビネットをネジでフロントキャビネットのホルダー支持部に共締め固定するまでスピーカーホルダーが倒れ込まないように仮固定でき、部品点数や作業工数の増加によるコストアップを招くこともない、スピーカーホルダーの仮固定構造を提供することにある。
【課題を解決するための手段】
【０００８】
上記課題を解決するため、本発明に係るスピーカーホルダーの仮固定構造は、スピーカーを保持したスピーカーホルダーを、フロントキャビネットの下部に形成したホルダー支持部に載置し、スピーカーホルダーの左右両端のフランジ部とリアキャビネットの下部をネジでホルダー支持部に共締め固定するまで、ホルダー支持部に載置したスピーカーホルダーを仮固定する構造であって、
上記スピーカーホルダーの左右両端のフランジ部に形成した位置決め孔に、上記フロントキャビネットのホルダー支持部から突設した位置決めピンを挿通すると共に、上記スピーカーホルダーに一体形成したフック部を、上記フロントキャビネットの下部に一体形成した被掛止部に対して上記位置決めピンの挿通方向に掛止させたことを特徴とするものである。
【０００９】
本発明のスピーカーホルダーの仮固定構造においては、前記フック部が、前記スピーカーホルダーの中間部から垂下する弾性変形可能な垂下片と、この垂下片の先端部から裏側へ突き出す掛止爪とを備えたものであり、前記被掛止部は、上記掛止爪が前記位置決めピンの挿通方向に掛止する被掛止面と、この被掛止面に上記掛止爪を案内する傾斜案内面とを備えたものであることが望ましい。
【００１０】
そして、前記位置決めピンの高さが、前記位置決め孔を形成したスピーカーホルダーの左右両端のフランジ部の厚さの２〜４倍であることが望ましい。
【発明の効果】
【００１１】
本発明に係るスピーカーホルダーの仮固定構造のように、スピーカーホルダーをフロントキャビネットのホルダー支持部に載置し、スピーカーホルダーの左右両端のフランジ部に形成した位置決め孔に、ホルダー支持部から突設した位置決めピンを挿通すると共に、スピーカーホルダーに一体形成したフック部を、フロントキャビネットの下部に一体形成した被掛止部に対して位置決めピンの挿通方向に掛止させてあると、スピーカーの磁力と、フロントキャビネットに取付けられた液晶モジュールの磁力によって、スピーカーホルダーが液晶モジュールの方へ倒れ込もうとしても、フロントキャビネットの被掛止部に対して位置決めピンの挿通方向に掛止しているスピーカーホルダーのフック部によって、スピーカーホルダーの位置決め孔がホルダー支持部の位置決めピンを乗り越えて外れることがなくなり、スピーカーホルダーが回動不能となるため、スピーカーホルダーの倒れ込みを確実に防止して組立作業性を改善できるようになる。
【００１２】
しかも、本発明の仮固定構造は、前記特許文献１，２のようにスピーカーホルダー等をネジ止めするものとは異なり、スピーカーホルダーに一体形成したフック部をフロントキャビネットに一体形成した被掛止部に掛止させ、スピーカーホルダーの位置決め孔がホルダー支持部の位置決めピンから外れないようにして仮固定するものであるから、ネジ等の部品点数の増加やネジ止め等の作業工数の増加によるコストアップを招くことが一切なく、コスト面でも有利である。
【００１３】
特に、前記フック部が、スピーカーホルダーの中間部から垂下する弾性変形可能な垂下片と、この垂下片の先端部から裏側へ突き出す掛止爪とを備えたものであり、前記被掛止部が、位置決めピンの挿通方向に該掛止爪が掛止する被掛止面と、この被掛止面に該掛止爪を案内する傾斜案内面とを備えたものである場合は、スピーカーホルダーの位置決め孔にホルダー支持部の位置決めピンを挿入しながらスピーカーホルダーをホルダー支持部に載置する際に、フック部の掛止爪が被掛止部の傾斜案内面を摺動しつつ被掛止部を乗り越えるようにフック部の垂下片が弾性変形し、スピーカーホルダーの載置が完了すると同時に、フック部の垂下片が元の状態に復元して掛止爪が被掛止部の被掛止面に掛止するため、スピーカーホルダーを簡単かつスムーズに仮固定できる利点がある。
【００１４】
また、前記位置決めピンの高さが、位置決め孔を形成したスピーカーホルダーの左右両端のフランジ部の厚さの２〜４倍であると、位置決めピンが位置決め孔から高く突き出し、位置決め孔が位置決めピンから一層外れ難くなるため、スピーカーホルダーの倒れ込みをより確実に防止できる利点がある。
【図面の簡単な説明】
【００１５】
【図１】本発明の一実施形態に係るスピーカーホルダーの仮固定構造の分解斜視である。
【図２】同スピーカーホルダーの仮固定構造の側面図である。
【図３】（ａ）は同スピーカーホルダーのフック部とフロントキャビネットの被掛止部を分解して示す部分側面図、（ｂ）は同フック部を同被掛止部へ掛止させた状態を示す部分側面図である。
【図４】従来のスピーカーホルダーの仮固定構造を示す側面図である。
【発明を実施するための形態】
【００１６】
図１，図２に例示したスピーカーホルダーの仮固定構造は、スピーカー１を保持したスピーカーホルダー２を、スピーカーレスデザインの液晶テレビのフロントキャビネット３の下部に形成した左右一対のホルダー支持部４，４に載置し、スピーカーホルダー２の左右両端のフランジ部２ａ，２ａと、図２に仮想線で示すリアキャビネット５の下部の共締め部５ａを、ネジ６でホルダー支持部４のネジ孔４ａに共締め固定するまでの間、ホルダー支持部４，４に載置したスピーカーホルダー２を仮固定する構造であって、図１に示すように、合成樹脂製のスピーカーホルダー２の開口斜面部２ｂには、スピーカー１がその金具１ａの四隅でネジ止めされて保持されている。
【００１７】
スピーカーホルダー２の左右両端の水平なフランジ部２ａ，２ａには、共締め用のネジ６，６を挿通するネジ挿通孔２ｃ，２ｃと、後述する位置決めピン４ｂ，４ｂを挿通する位置決め孔２ｄ，２ｄが形成されており、また、スピーカーホルダー２の背面側には縦格子部２ｅが一体的に成形されている。
【００１８】
更に、スピーカーホルダー２の左右中間部には、後述する被掛止部８に対して位置決めピン４ｂの挿通方向に掛止するフック部７が一体に形成されている。このフック部７は、図１，図３に示すように、スピーカーホルダー２の開口斜面部２ｂの下端から垂下する弾性変形可能な垂下片７ａ（開口が形成された垂下片）と、この垂下片７ａの先端部から裏側（後側）に突き出す掛止爪７ｂとを備えたものであって、掛止爪７ｂには、被掛止部８を乗り越えやすくするための傾斜案内面７ｃが形成されている。このようなフック部７は、スピーカーホルダー２の倒れ込みをより確実に防止する観点から、位置決め孔２ｄを境にしてスピーカーホルダー２が倒れ込もうとする液晶モジュール側に出ないように形成することが好ましい。
【００１９】
一方、スピーカーホルダー２を取付ける合成樹脂製のフロントキャビネット３の下部には、左右一対のホルダー支持部４，４が一体に形成されている。そして、それぞれのホルダー支持部４には、共締め用のネジ６をねじ込むネジ孔４ａが形成されると共に、スピーカーホルダー２の位置決め孔２ｄに下方から挿通される十字形の位置決めピン４ｂが上向きに突設されている。この位置決めピン４ｂの高さ（ホルダー支持部４の上面からの高さ）は、位置決め孔２ｄが形成されたスピーカーホルダー２のフランジ部２ａの厚さの２〜４倍に設定することが好ましく、このような高さにすると、位置決めピン４ｂが位置決め孔２ｄから高く突き出して、位置決め孔２ｄが位置決めピン４ｂから一層外れ難くなるため、スピーカーホルダー２の倒れ込みをより確実に防止できる利点がある。
【００２０】
左右のホルダー支持部４，４の中間部には、前記フック部７が掛止する被掛止部８とその支持基部８ａとが一体に形成されている。この被掛止部８は、図１，図３に示すように、フック部７の掛止爪７ｂが位置決めピン４の挿通方向に掛止する被掛止面８ｂと、この被掛止面８ｂにフック部７の掛止爪７ｂを案内する傾斜案内面８ｃとを備えたもので、この傾斜案内面８ｃによりフック部７の掛止爪７ｂが被掛止部８を容易に乗り越えて掛止できるようになっている。かかる被掛止部８は、スピーカーホルダー２の倒れ込みをより確実に防止する観点から、位置決めピン４ｂを境にしてスピーカーホルダー２が倒れ込もうとする液晶モジュール側に出ないように形成することが好ましい。
【００２１】
この実施形態に係るスピーカーホルダーの仮固定構造は、上記スピーカーホルダー２の左右のフランジ部２ａ，２ａをフロントキャビネット３の左右のホルダー支持部４，４に載置して、フランジ部２ａ，２ａの位置決め孔２ｄ，２ｄにホルダー支持部４，４の位置決めピン４ｂ，４ｂを下方より挿通すると共に、スピーカーホルダー２のフック部７の掛止爪７ｂをフロントキャビネット３の被掛止部８の被掛止面８ｂに対して位置決めピン４ｂの挿通方向に掛止させた仮固定構造となっている。
【００２２】
上記のようなスピーカーホルダーの仮固定構造であると、スピーカー１の磁力とフロントキャビネット３に取付けられた液晶モジュール９の磁力によって、スピーカーホルダー２が液晶モジュール９の方へ倒れ込もうとしても、フロントキャビネット３の被掛止部８に対して位置決めピン４ａの挿通方向に掛止しているスピーカーホルダー２のフック部７の掛止爪７ｂによって、スピーカーホルダー２の位置決め孔２ｄがホルダー支持部４の位置決めピン４ｂを乗り越えて外れることがなくなると共に、掛止爪７ｂが被掛止部８の支持基部８ａの前面に当たってスピーカーホルダー２が液晶モジュール９側に回動不能となるため、スピーカーホルダー２の倒れ込みを確実に防止して組立作業性を改善できるようになる。
【００２３】
しかも、上記の仮固定構造は、前記特許文献１，２のようにスピーカーホルダー等を個別にネジ止めするものとは異なり、スピーカーホルダー２に一体形成したフック部７をフロントキャビネット３に一体形成した被掛止部８に掛止させ、スピーカーホルダー２の位置決め孔２ｄがホルダー支持部４の位置決めピン４ｂから外れないようにして仮固定するものであるから、ネジ等の部品点数の増加やネジ止め等の作業工数の増加によるコストアップを招くことが一切なく、コスト面でも有利である。
【００２４】
また、上記の仮固定構造は、フック部７の掛止爪７ｂが被掛止部８を容易に乗り越えられるように傾斜案内面８ｃを被掛止部８に設け、フック部７の垂下片７ａを弾性変形可能な垂下片となすと共に、フック部７の掛止爪７ｂにも傾斜案内面７ｃを設けてあるため、スピーカーホルダー２の位置決め孔２ｄにホルダー支持部４の位置決めピン４ｂを挿入しながらスピーカーホルダー２をホルダー支持部４に載置する際、フック部７の垂下片７ａが弾性変形しつつ掛止爪７ｂが被掛止部８を容易に乗り越え、スピーカーホルダー２の載置が完了すると同時に、フック部７の垂下片７ａが元の状態に復元して掛止爪７ｂが被掛止部８の被掛止面８ｂに掛止し、スピーカーホルダー２を簡単かつスムーズに仮固定することができる。
【符号の説明】
【００２５】
１    スピーカー
２    スピーカーホルダー
２ａ  スピーカーホルダーのフランジ部
２ｄ  位置決め孔
３    フロントキャビネット
４    ホルダー支持部
４ｂ  位置決めピン
５    リアキャビネット
６    共締め用のネジ
７    フック部
７ａ  フック部の垂下片
７ｂ  フック部の掛止爪
８    被掛止部
８ｂ  被掛止面
８ｃ  傾斜案内面
９    液晶モジュール
【図１】
2011019171.tif 000003
【図２】
2011019171.tif 000004
【図３】
2011019171.tif 000005
【図４】
2011019171.tif 000006